(57)【特許請求の範囲】
【請求項１】
ＬＥＤ発光を採用した発光アセンブリと、
発光アセンブリに電力を供給するための電源アセンブリと、
ＬＥＤ発光アセンブリおよび電源アセンブリを支持するためのランプハウジングアセンブリと、を有するＬＥＤ照明装置であって、
前記ランプハウジングアセンブリには電源装着部が設けられ、前記電源アセンブリは前記電源装着部内に設けられ、前記電源装着部内には密封と絶縁のための第１のコロイドを含む充填剤が充填され、前記電源アセンブリ全体は前記第１のコロイドを含む充填剤内に埋まっており、
前記発光アセンブリは、組立ＰＣＢおよびレンズ群を有し、
前記組立ＰＣＢは、ＰＣＢおよび少なくとも一つのＬＥＤを有し、
前記ＬＥＤは、前記ＰＣＢに溶接され、
前記ＰＣＢは、前記ランプハウジングアセンブリに固定して接続され、
前記レンズ群は、前記ランプハウジングアセンブリに固定され、
前記レンズ群と前記ランプハウジングアセンブリとの間には密閉された第１キャビティが形成され、
前記組立ＰＣＢは、前記第１キャビティ内に位置し、
前記レンズ群は、前記ＬＥＤの配光のために用いられ、
前記レンズ群は、少なくとも二つのフックを有し、
前記ランプハウジングアセンブリにおいて前記フックに対応する箇所にはフック孔が設けられ、
前記レンズ群の前記フックは前記ランプハウジングアセンブリの前記フック孔に締結され、
前記発光アセンブリは、シールリングをさらに有し、
前記レンズ群には前記シールリングを収容する第１凹溝が設けられ、
前記レンズ群は、前記フックと前記フック孔との締結により前記シールリングを前記第１凹溝と前記ランプハウジングアセンブリとの間にしっかりと押圧するものであり、
前記発光アセンブリは、シーリング材をさらに有し、
前記シーリング材は、前記シールリングの外周に密接してレンズ群に塗布され、
前記レンズ群は、前記フックと前記フック孔との締結により前記シーリング材を前記レンズ群と前記ランプハウジングアセンブリとの間に貼り合わせられ、
前記レンズ群には前記シーリング材を収容する第２凹溝が設けられ、前記第２凹溝は前記第１凹の外周に位置し、
前記シーリング材は、前記第２凹溝内にさらに塗布される、
ＬＥＤ照明装置。
【請求項２】
前記電源装着部は凹溝状であり、前記電源アセンブリは前記電源装着部の凹溝内に設けられ、かつ前記電源装着部の凹溝内には第１のコロイドを含む充填剤が充填される、ことを特徴とする請求項１に記載のＬＥＤ照明装置。
【請求項３】
前記電源装着部と前記第１のコロイドを含む充填剤との間には絶縁シートがさらに設けられ、前記絶縁シートは前記電源装着部の内壁に貼り合わされる、ことを特徴とする請求項１に記載のＬＥＤ照明装置。
【請求項４】
前記電源アセンブリと前記発光アセンブリを接続するための導線をさらに有し、
前記ランプハウジングアセンブリには第１導線孔がさらに設けられ、
前記導線は、前記第１導線孔を貫通して前記第１キャビティに入り、前記組立ＰＣＢに接続され、
前記第１導線孔の箇所には前記第１導線孔を密封するための導線キャップが挟まるように設けられ、
前記導線キャップには前記第１導線孔に連通する第２導線孔が設けられ、
前記導線は、前記第２導線孔を通って前記導線キャップを貫通し、
前記導線キャップの周囲には第２のコロイドを含む充填剤が充填され、
前記第２のコロイドを含む充填剤により前記導線および前記導線キャップを前記ランプハウジングアセンブリに固定する、ことを特徴とする請求項１に記載のＬＥＤ照明装置。
【請求項５】
前記ランプハウジングアセンブリは、ランプハウジング本体および装着上蓋を有し、
前記電源アセンブリと前記発光アセンブリは、前記ランプハウジング本体の両側にそれぞれ設けられ、
前記装着上蓋は、前記ランプハウジング本体に固定して接続され、
前記電源装着部は、前記ランプハウジング本体と前記装着上蓋とにより形成された第２空間内に位置し、
前記装着上蓋は、前記ＬＥＤ照明装置を装着するために用いられる、ことを特徴とする請求項１に記載のＬＥＤ照明装置。
【請求項６】
前記ＰＣＢは、前記ランプハウジング本体にネジ山により固定して接続され、
前記ＰＣＢには少なくとも二つの装着孔が設けられ、
前記ランプハウジング本体において前記ＰＣＢが設けられる側と反対の側には少なくとも二つの突起が設けられ、
前記突起内には前記ＰＣＢの前記装着孔に対応するネジ孔が設けられ、前記ランプハウジング本体と前記ＰＣＢとの間の固定接続のために用いられる、ことを特徴とする請求項５に記載のＬＥＤ照明装置。
【請求項７】
前記電源アセンブリは、電源アセンブリに設けられた感光素子をさらに有し、前記感光素子の一部は前記第１のコロイドを含む充填剤内に埋まっておらず、
前記ＬＥＤ照明装置は、透光アセンブリをさらに有し、前記透光アセンブリは、透光カバーおよびガスケットを有し、
前記感光素子の前記第１のコロイドを含む充填剤に埋まっていない部分は、前記透光カバーの位置に対応し、前記透光カバーから透過される光線を受光するために用いられ、
前記透光カバーは、前記装着上蓋に設けられた透光孔に固定して接続され、
前記ガスケットは、前記透光カバーと前記透光孔との間に位置し、前記透光カバーと前記透光孔との間の接続の信頼性および密封性能を高めるために用いられる、ことを特徴とする請求項５に記載のＬＥＤ照明装置。
【請求項８】
前記装着上蓋には、前記ＬＥＤ照明装置を水平面に対して傾斜して装着するための装着部が設けられ、
前記ランプハウジング本体には排水孔が設けられ、
前記排水孔は、前記第２空間内の前記電源装着部の外側の前記ランプハウジング本体の辺縁に近接する位置に設けられる、ことを特徴とする請求項５に記載のＬＥＤ照明装置。
【発明の詳細な説明】
【技術分野】
【０００１】
本発明は照明技術分野に関し、具体的にはＬＥＤ照明装置に関する。
【背景技術】
【０００２】
ＬＥＤランプは、省エネと環境保護、高発光効率、長期寿命などの特徴により、ますます広く応用されており、従来の白熱灯、蛍光灯に取って代わる傾向が大いにある。
【０００３】
ＬＥＤランプは、道路、住宅、工場現場、坑内作業などといった場所にしばしば使用され、防水、防塵、漏電防止などの特徴を備えなければならないので、高い防護レベルを持つことが必要となる。一方、既存のＬＥＤ照明装置の防護効果は劣っており、例えば、以下のとおりである。
【０００４】
（１）ＬＥＤランプの電源アセンブリはランプハウジングの大空間内に設けられ、水蒸気、塵埃がランプハウジング内に入ると、電源アセンブリに直接影響し、電源アセンブリに漏電、ショートなどの現象を生じさせる。同時に、既存の技術における電源アセンブリとランプハウジングとの間の絶縁処理は効果が劣り、電源アセンブリが漏電すると、ＬＥＤ照明器具のランプハウジング全体に電流を伝えやすく、安全上のリスクがあるだけでなく、さらには電気エネルギーを浪費する。
【０００５】
（２）既存のＬＥＤランプにおいて、レンズとランプハウジングとの間のよく見られる接続方法はネジ接続であり、レンズ群とランプハウジングとの間にシール材を設けても、ネジ接続を採用するときの密閉性能は劣る。具体的には、ネジ接続を採用するときには、ネジセットにおける各ネジが締め付けられるときの締付力に違いがあり、シール材の変形が一致せず、シール材とレンズおよびランプハウジングとの間の微小な隙間が均一でなくなり、水蒸気は大きな隙間箇所からレンズとランプハウジングとの間のキャビティ内に入りやすく、レンズとランプハウジングとの間のＬＥＤランプの発光性能および照明器具の使用寿命に影響する。
【発明の概要】
【０００６】
既存の技術におけるＬＥＤランプの防護性能が劣るという課題を解決するために、本発明はＬＥＤ照明装置を提供するものであり、ＬＥＤ発光を採用した発光アセンブリと、発光アセンブリに電力を供給するための電源アセンブリと、ＬＥＤ発光アセンブリおよび電源アセンブリを支持するためのランプハウジングアセンブリと、を有し、ランプハウジングアセンブリには電源装着部が設けられ、電源アセンブリは電源装着部内に設けられ、電源装着部内には密封と絶縁のための第１のコロイドを含む充填剤が充填され、電源アセンブリ全体は第１のコロイドを含む充填剤内に埋まっている。
【０００７】
好ましくは、前記電源装着部は凹溝状であり、電源アセンブリは電源装着部の凹溝内に設けられ、かつ電源装着部の凹溝内は第１のコロイドを含む充填剤で満たされる。
【０００８】
好ましくは、電源装着部と第１のコロイドを含む充填剤との間には絶縁シートがさらに設けられ、絶縁シートは電源装着部の内壁に貼り合わされる。
【０００９】
好ましくは、発光アセンブリは、組立ＰＣＢおよびレンズ群を有し、組立ＰＣＢは、ＰＣＢおよび少なくとも一つのＬＥＤを有し、ＬＥＤは、ＰＣＢに溶接され、ＰＣＢは、ランプハウジングアセンブリに固定して接続される。レンズ群は、ランプハウジングアセンブリに固定され、レンズ群とランプハウジングアセンブリとの間には密閉された第１キャビティが形成され、組立ＰＣＢは、第１キャビティ内に位置し、レンズ群は、ＬＥＤの配光のために用いられる。
【００１０】
好ましくは、レンズ群は、少なくとも二つのフックを有し、ランプハウジングアセンブリにおいてフックに対応する箇所にはフック孔が設けられ、レンズ群のフックはランプハウジングアセンブリのフック孔に締結される。
【００１１】
好ましくは、発光アセンブリは、シールリングをさらに有し、レンズ群にはシールリングを収容する第１凹溝が設けられ、レンズ群は、フックとフック孔との締結によりシールリングを第１凹溝とランプハウジングアセンブリとの間にしっかりと押圧する。
【００１２】
好ましくは、発光アセンブリは、シーリング材をさらに有し、シーリング材は、シールリングの外周に密接してレンズ群に塗布され、レンズ群は、フックとフック孔との締結によりシーリング材をレンズ群とランプハウジングとの間に貼り合わせる。
【００１３】
好ましくは、レンズ群にはシーリング材を収容する第２凹溝が設けられ、第２凹溝は第１凹溝の外周に位置し、シーリング材は、第２凹溝内にさらに塗布される。
【００１４】
好ましくは、電源アセンブリと発光アセンブリを接続するための導線をさらに有し、ランプハウジングアセンブリには第１導線孔がさらに設けられ、導線は、第１導線孔を貫通して第１キャビティに入り、組立ＰＣＢに接続され、第１導線孔の箇所には第１導線孔を密封するための導線キャップが設けられ、導線キャップには第１導線孔に連通する第２導線孔が設けられ、導線は、第２導線孔を通って導線キャップを貫通し、導線キャップの周囲には第２のコロイドを含む充填剤が充填され、第２のコロイドを含む充填剤により導線および導線キャップをランプハウジングアセンブリに固定する。
【００１５】
好ましくは、ランプハウジングアセンブリは、ランプハウジング本体および装着上蓋を有し、電源アセンブリと発光アセンブリは、ランプハウジング本体の両側にそれぞれ設けられ、装着上蓋は、ランプハウジング本体に固定して接続され、電源装着部は、ランプハウジング本体と装着上蓋とにより形成された第２空間内に位置し、装着上蓋は、ＬＥＤ照明装置を装着するために用いられる。
【００１６】
好ましくは、ＰＣＢはランプハウジング本体にネジ山により固定して接続され、ＰＣＢには少なくとも二つの装着孔が設けられ、ランプハウジング本体においてＰＣＢが設けられる側と反対の他側には少なくとも二つの突起が設けられ、突起内にはＰＣＢの装着孔に対応するネジ孔が設けられ、ランプハウジングとＰＣＢとの間の固定接続のために用いられる。
【００１７】
好ましくは、電源アセンブリは、電源アセンブリに設けられた感光素子をさらに有し、感光素子の一部は第１のコロイドを含む充填剤内に埋まっていない。ＬＥＤ照明装置は、透光アセンブリをさらに有し、透光アセンブリは、透光カバーおよびガスケットを有し、感光素子の第１のコロイドを含む充填剤に埋まっていない部分は、透光カバーの位置に対応し、透光カバーから透過される光線を受光するために用いられ、透光カバーは、装着上蓋に設けられた透光孔に固定して接続され、ガスケットは、透光カバーと透光孔との間に位置し、透光カバーと透光孔との間の接続の信頼性および密閉性能を高めるために用いられる。
【００１８】
好ましくは、装着上蓋には、ＬＥＤ照明装置を傾斜して装着するための装着部が設けられる。ランプハウジング本体には排水孔が設けられ、排水孔は、第２空間内の電源装着部の外側のランプハウジング本体の辺縁に近接する位置に設けられる。
【００１９】
本発明は以上の技術的解決手段を採用するので、既存の技術と比較して以下の優れた点および積極的な効果を持つ。
【００２０】
（１）本発明により提供される照明装置において、電源アセンブリは電源装着部によりランプハウジングアセンブリに装着され、かつ電源アセンブリは電源装着部内の第１のコロイドを含む充填剤内に埋まり、第１のコロイドを含む充填剤は、電源アセンブリを密封し、熱伝導と絶縁の作用を果たし、電源アセンブリの防護性能および放熱効果を高めることができる。
【００２１】
（２）本発明により提供されるＬＥＤ照明装置において、電源装着部と第１のコロイドを含む充填剤との間に絶縁シートが設けられ、電源アセンブリが漏電したときに、ランプハウジングに電流を伝えることで安全上のリスクと電気エネルギーの浪費を生じさせることを防止することができる。
【００２２】
（３）本発明により提供されるＬＥＤ照明装置において、レンズ群とランプハウジングとの間はフックにより接続され、かつレンズ群とランプハウジングとの間はシールリングおよびシーリング材により多重に密封され、多重の密封防護構造によりＬＥＤ照明装置の防護性能を効果的に高めることができる。
【００２３】
（４）本発明より提供されるＬＥＤ照明装置において、組立ＰＣＢはランプハウジング本体に装着されるとともに、ランプハウジング本体においてＰＣＢが設けられる側に相対する側の他側には複数の突起が設けられ、突起はランプハウジング本体の装着孔、ＰＣＢの装着孔に対応する。突起は、ランプハウジング本体の装着孔の深さを深くすることで、ＰＣＢとランプハウジング本体との間の装着の信頼性を保証するために用いられ、ランプハウジング本体の厚みを適切に減らし、材料を節約することに有利である。ランプハウジング本体の厚みが小さくなり、ランプハウジング本体の放熱性能を高めることに有利であり、しかも突起によりランプハウジング本体が空気と接触する面積を増やし、ランプハウジング本体の放熱性能をさらに高めることができる。
【００２４】
（５）本発明により提供されるＬＥＤ照明装置において、透光アセンブリおよび感光素子を設けることにより、ＬＥＤ照明装置は光線の制御下で自動的に開閉できるようになり、光線が充分な状況でＬＥＤ照明装置を起動することを防ぎ、省エネという優れた点を有する。
【図面の簡単な説明】
【００２５】
図面を踏まえ、以下の詳細な説明により、本発明の上述の、およびその他の特徴と優れた点をさらにはっきりと理解できる。ここで、
【００２６】
【図１】本発明により提供されるＬＥＤ照明装置の立体概略図１である。
【図２】本発明により提供されるＬＥＤ照明装置の立体概略図２である。
【図３】本発明により提供されるＬＥＤ照明装置の分解概略図である。
【図４】本発明におけるランプハウジング本体の構造概略図である。
【図５】本発明におけるランプハウジング本体の平面図である。
【図６】図５におけるランプハウジング本体のＡ−Ａ断面図である。
【図７】図５におけるランプハウジング本体のＢ−Ｂ断面図である。
【図８】本発明におけるレンズ群の構造概略図である。
【図９】本発明により提供されるＬＥＤ照明装置がフープに接続される構造概略図である。
【符号の説明】
【００２７】
１−ランプハウジング本体  １０１−電源装着部  １０２−第１導線孔
１０３−突起  １０４−排水孔  １０５−フック孔
２−装着上蓋  ３−装飾蓋  ４−装着板
４０１−細長い装着孔  ４０２−装着孔  ５−電源アセンブリ
６−ＰＣＢ  ７−レンズ群  ７０１−フック
７０２−第１凹溝  ７０３−第２凹溝  ８−絶縁シート
９−導線キャップ  １０−感光素子  １１−透光カバー
１２−ガスケット  １３−ケーブルブッシュ  １４−シールリング
１５−フープ
【発明を実施するための形態】
【００２８】
本発明の実施例を示す図面を参照し、以下に本発明をさらに詳細に説明する。しかしながら、本発明は、多くの異なる形態で実現でき、しかもここで提出される実施例の制限を受けると解釈されないものとする。むしろ、これらの実施例は、充分に完全に開示されるために、しかも当業者が本発明の範囲を完全に理解するために提出される。これらの図面においては、明確さのために、層および領域の寸法および相対寸法を拡大することがある。
【００２９】
図１−８を参照し、本発明はＬＥＤ照明装置を提供し、ＬＥＤ発光を採用した発光アセンブリと、発光アセンブリに電力を供給するための電源アセンブリ５と、ＬＥＤ発光アセンブリおよび電源アセンブリを支持するためのランプハウジングアセンブリと、を有し、ここで、ランプハウジングアセンブリには電源装着部１０１が設けられ、電源アセンブリ５は電源装着部１０１内に設けられ、電源装着部１０１内には密封と絶縁のための第１のコロイドを含む充填剤が充填され、電源アセンブリ全体は第１のコロイドを含む充填剤内に埋まっている。本発明は、電源アセンブリを電源装着部１０１内に設け、かつ電源装着部１０１内に第１のコロイドを含む充填剤を充填することで、電源アセンブリの密封を効果的に実現するとともに、第１のコロイドを含む充填剤が絶縁、放熱の効果をさらに果たす。
【００３０】
ここで、電源アセンブリ５および発光アセンブリは、ランプハウジングアセンブリに設けられ、ランプハウジングアセンブリの具体的な構造形態、電源アセンブリ５および発光アセンブリの設置位置はいずれも具体的な状況に応じて設計でき、ここでは限定しない。本実施例において、ランプハウジングアセンブリはランプハウジング本体１を有し、以下では電源アセンブリ５と発光アセンブリをランプハウジング本体１の相対する両側に設けることを例として説明する。
【００３１】
図３、４を参照し、本実施例において、電源装着部１０１は、ランプハウジング本体１の片側に設けられ、電源装着部１０１は凹溝状である。電源アセンブリ５は、ネジなどの方法により電源装着部１０１の凹溝内に装着され、電源装着部１０１の凹溝内は第１のコロイドを含む充填剤で満たされ、電源アセンブリ５全体は第１のコロイドを含む充填剤内に埋まっている。ここで、第１のコロイドを含む充填剤は凹溝いっぱいに充填してもよく、凹溝いっぱいに充填しなくてもよく、電源アセンブリ５全体が第１のコロイドを含む充填剤内に埋まることさえ保証すればよい。第１のコロイドを含む充填剤を設けることにより、電源アセンブリ５に対する密封を実現するとともに、電源アセンブリ５の絶縁も実現し、電源の防護性能を高める。
【００３２】
ここで、電源装着部１０１はランプハウジング本体１と一体に製造してもよく、単独で製造した後にランプハウジング本体に組み立ててもよく、ここでは限定しない。電源装着部１０１の具体的な構造は凹溝状に限定されるわけではなく、その他実施例において、電源装着部１０１はケース状構造などでもよく、ランプハウジング本体１に電源アセンブリ５を収容可能な空間を形成することさえ保証すればよく、ここでは限定しない。
【００３３】
電源装着部１０１と第１のコロイドを含む充填剤との間には絶縁シート８がさらに設けられ、絶縁シート８は主に、電源アセンブリ５と電源装着部１０１との間の絶縁のために用いられ、電源アセンブリ５が漏電したときに、ランプハウジング本体１に電流を伝えることを防ぐ。絶縁シート８の設置位置および形状は限定せず、絶縁シート８が電源アセンブリ５の周囲を囲むように設けられていることさえ保証すればよい。
【００３４】
本実施例において、好ましくは、絶縁シート８は電源装着部１０１内に設けられて電源装着部１０１の内壁に貼り合わさっており、以下に、絶縁シート８を電源装着部１０１の凹溝の内壁に設けることを例として、さらに説明する。電源装着部１０１の凹溝の四つの内壁にはいずれも絶縁シート８が設けられ、電源装着部１０１の凹溝の底面にも絶縁シート８を設けてもよい。ここで、絶縁シート８の具体的な形状は、電源装着部１０１の凹溝の内壁の形状に応じて設計し、内壁全体に貼りさえすればよい。また、絶縁シート８は、電源装着部１０１と一体に製造してもよく、単独で製造してから一体に装着してもよく、ここでは限定しない。
【００３５】
本実施例において、発光アセンブリは、ランプハウジング本体１の他側に設けられ、発光アセンブリは、組立ＰＣＢおよびレンズ群７を有する。
【００３６】
図３を参照されたい。組立ＰＣＢは、ＰＣＢ６および少なくとも一つのＬＥＤを有し、ＬＥＤは、ＰＣＢ６に溶接され、組立ＰＣＢは、ランプハウジング本体１に固定される。ＰＣＢ６は、ランプハウジング本体１に密接して貼られ、ランプハウジング本体１においてＰＣＢ６が設けられる側と相対する側は外部空気と直接的に接触し、組立ＰＣＢにおいて発生した熱量は、ランプハウジング本体１を介して直接空気中に伝わることができ、良好な放熱効果を有する。
【００３７】
再び図３、４を参照されたい。ＰＣＢ６には二つの第１装着孔が少なくとも設けられ、第１装着孔に対応するランプハウジング本体１の位置には第２装着孔が設けられ、ここで、第１装着孔、第２装着孔はいずれも貫通孔であり、具体的にはネジ孔またはピン孔であってよい。ランプハウジング本体１においてＰＣＢ６が設けられる側に相対する側の他側には少なくとも二つの突起１０３が設けられ、かつ突起１０３は第２装着孔の位置に一つ一つ対応し、突起１０３内には第２装着孔に連通する第３装着孔が設けられ、ここで、第３装着孔はネジ孔、ピン孔であってよい。ＰＣＢとランプハウジング本体１との間はピン、ネジを介して位置決め、固定され（例えば、長方形ＰＣＢの対角線には二つのピンが設けられ、長方形ＰＣＢの四つの角にはネジが設けられる）、具体的に装着するときは、ネジ、ピンは第１装着孔、第２装着孔および第３装着孔を順番に貫通し、固定または位置決めを実現する。ここで、第１装着孔、第２装着孔、および突起の設置数は状況に応じて設定し、ここでは限定しない。本発明は、複数の突起１０３を設けることにより、ランプハウジング本体１において第２装着孔の深さを深くし、ＰＣＢ６とランプハウジング本体１との間の装着の信頼性を保証するとともに、ランプハウジング本体１の厚みを適切に減らし、ランプハウジングの材料を節約することに用いられる。ランプハウジング本体１の厚みが減り、ランプハウジング本体１の放熱効果の向上に有利であり、しかも突起１０３によりランプハウジング本体１が空気に接触する面積を増やし、ランプハウジング本体１の放熱効果をさらに高める。
【００３８】
ランプハウジング本体１の突起１０３が設けられる側には、第３装着孔が設けられていない複数の突起構造をさらに増やすことができ、これらのネジ孔およびピン孔が設けられていない突起構造の形状は、突起１０３と同様であってよく、同様でなくてもよい。ネジ孔およびピン孔が設けられていない複数の突起構造は、規則的または不規則にランプハウジング本体１に配列されることができる。本発明は、ネジ孔およびピン孔が設けられていない複数の突起構造を増設することで、美観の効果を果たすとともに、ネジ孔およびピン孔が設けられていない突起構造により同様に、ハウジング本体１と空気の接触面積を増やし、ランプハウジング本体１の放熱効果をさらに高めることができる。
【００３９】
図３、４、８を参照されたい。レンズ群７はランプハウジング本体１に固定され、レンズ群７とランプハウジング本体１との間には密閉された第１キャビティが形成され、組立ＰＣＢは該第１キャビティ内に位置し、レンズ群７はＬＥＤの配光のために用いられる。具体的には、レンズ群７には二つのフック７０１が少なくとも設けられ、好ましくは、フック７０１はレンズ群７の辺縁に設けられる。ランプハウジング本体１においてフック７０１に対応する位置箇所にはフック孔１０５が設けられ、レンズ群７は、フック７０１とフック孔１０５との間の締結によりランプハウジング本体１に固定される。ランプハウジング本体１とレンズ群７との間は、フック７０１により接続が実現され、フック７０１に対する設計により、フック７０１がフック孔１０５に締結された後、レンズ群７とランプハウジング本体１との間の距離は各箇所でいずれも等しくなることができる。当然のことながら、その他の実施例において、レンズ群７とランプハウジング本体１との間の接続方法はフック接続の方法に限定されず、ネジなどのその他の方法で接続してもよく、ここでは限定しない。
【００４０】
発光アセンブリは、シールリング１４をさらに有し、レンズ群７にはシールリング１４を収容する第１凹溝７０２が設けられ、レンズ群７は、フック７０１とフック孔１０５との締結によりシールリング１４を第１凹溝７０２とランプハウジング本体１との間にしっかりと押圧し、シールリング１４によりレンズ群７とランプハウジング本体１との間の密封を実現し、第１キャビティの密封を実現する。ランプハウジング本体１とレンズ群７との間はまず、シールリング１４により密封され、シールリング１４自体が弾性を持つので、ランプハウジング本体１がレンズ群７に締結されるときには、シールリング１４をしっかりと押圧でき、シールリング１４を均一に変形させ、密封を実現する。また、フック７０１がランプハウジング本体１のフック孔１０５に装着されるときには、すべてのフック７０１はレンズ群７に同時に装着されることができ、フック７０１がレンズ群７に前後して装着されるときにシールリングを移動させ、最終的にシールリング１４の変形が異なることで、密封が有効でなくなり、または密閉性能が低下することを防ぐ。第１凹溝７０２を設けることにより、シールリング１４の装着および位置決めをしやすくなり、シールリング１４がレンズ群７で移動できないことを防ぎ、フック７０１がフック孔１０５に締結されるとき、シールリング１４内の変形が均一になり、密閉性能をさらに高める。
【００４１】
発光アセンブリは、シーリング材をさらに有することができ、シーリング材はシールリング１４の外周に密接してレンズ群７に塗布され、レンズ群７は、フック７０１とフック孔１０５との締結により、シーリング材をレンズ群７とランプハウジング本体１との間に貼り合わせる。具体的には、レンズ群７にはシーリング材を収容する第２凹溝７０３が設けられ、第２凹溝７０３は第１凹溝７０２の外周に位置し、シーリング材は第２凹溝７０３内にさらに塗布される。本発明は、シーリング材を増やしたことで、レンズ群７とランプハウジング本体１との間の密封をさらに補強する。シールリング１４の外側にシーリング材が設けられ、密封性能をさらに高める。具体的には、シーリング材は凝固するまでは液体であり、シールリング１４の周囲で流動し、かつシールリング１４とレンズ７およびランプハウジング本体１との間の微小な隙間内に浸透でき、密封性能をさらに高める。また、シーリング材はレンズ群７の押圧により、シールリング１４とレンズ群７およびランプハウジング本体１との間の隙間内にさらに浸透しやすくなり、密封効果をさらに補強する。また、シーリング材は第２凹溝７０３内に設けられ、第２凹溝７０３を設けることは主に、シーリング材を塗布しやすくし、効率を高め、廃品率を低下させるためである。
【００４２】
本発明は、フック接続、シールリング１４、およびシーリング材によりランプハウジング本体１とレンズ群７との間の多重の密封防護を実現し、ＬＥＤ照明装置の密封、防護性能を効果的に高める。
【００４３】
当然のことながら、ランプハウジング本体１とレンズ群７との間にシールリング１４のみを単独で設けて密封してもよい。ランプハウジング本体とレンズ群７は、シーリング材のみを単独で設けて密封してもよい。シールリングおよびシーリング材を同時に設けて密封してもよく、この場合、シーリング材は第２凹溝７０３により設けられてもよく、シーリング材はシールリング１４に直接、塗布されてもよい。上述のランプハウジング本体１とレンズ群７との間の各種の密封状況は、選択的に設けてもよく、ランプハウジング本体１とレンズ群７との間はその他の方法の密封を採用してもよく、ここではいずれも限定しない。
【００４４】
本実施例において、電源アセンブリ５と発光アセンブリとの間は導線により接続される。図３、４、５および６を参照し、ランプハウジング本体１には第１導線孔１０２が設けられ、電源アセンブリ５において引き出された導線は、電源アセンブリ５と電源装着部１０１との間の第１のコロイドを含む充填剤を貫通した後、第１導線孔１０２を貫通して組立ＰＣＢに接続される。第１導線孔１０２の箇所には第１導線孔１０２を密封するための導線キャップ９が挟まるようにさらに設けられ、導線キャップ９には第１導線孔１０２に連通する第２導線孔が設けられ、導線は、第２導線孔を通って導線キャップ９を貫通する。導線キャップ９の周囲には第２のコロイドを含む充填剤がさらに充填され、第２のコロイドを含む充填剤は導線キャップ９周囲を密封するために用いられ、これにより第２導線孔１０２の密封を補強し、第１キャビティの密封を補強する。
【００４５】
さらに、図３を参照されたい。ランプハウジング本体には装着上蓋２をさらに有し、装着上蓋２はランプハウジング本体１に装着され、かつ装着上蓋２とランプハウジング本体１との間には第２空間が形成され、電源装着部１０１、電源アセンブリ５はいずれも第２空間内に設けられる。
【００４６】
装着上蓋２には透光アセンブリがさらに設けられ、電源アセンブリ５には感光素子１０が設けられ、感光素子１０の一部は第１のコロイドを含む充填剤から伸び出て、透光アセンブリに対向し、外界の光線は透光アセンブリを透過して感光素子１０に投射され、感光素子１０は感光した後、ＬＥＤ照明装置の開閉を制御する。本発明は、透光アセンブリおよび感光素子１０を設けることにより、ＬＥＤ照明装置が光線の制御下で自動的に開閉できるようになり、光線が充分な状況でＬＥＤ照明装置を起動することを防ぎ、省エネという優れた点を有する。
【００４７】
具体的には、透光アセンブリは、透光カバー１１およびガスケット１２を有し、装着上蓋２には透光孔が設けられ、透光カバー１１はネジ山などの方法で透光孔に固定され、かつ透光カバー１１は、第１のコロイドを含む充填剤から伸び出た感光素子１０の部分に対向し、光線は透光カバー１１を透過して感光素子１０に投射される。ガスケット１２は透光カバー１１と透光孔との間に位置し、ガスケット１２は透光カバー１１と透光孔との間の接続の信頼性および密封性能を高めるために用いられる。ここで、ガスケット１２はシリコーンゴムなどの材料で製造してもよく、ここでは限定しない。
【００４８】
透光カバー１１は、図３に示すような透明キャップ状部材でよく、その下端の側面にはネジ山が設けられ、透光カバー１１はネジ山により透光孔内に締め付けられる。当然のことながら、透光カバー１１の具体的な構造は、図３に示されるものに限定されるわけではなく、透光カバー１１の具体的な構造、透光カバー１１と透光孔との間の接続方法はいずれも具体的な状況に応じて設定され、ここでは限定しない。
【００４９】
本実施例において、装着上蓋２はさらにＬＥＤ照明装置を装着するために用いられ、装着上蓋２には装着部が設けられ、ＬＥＤ照明装置は、装着部を介して水平面に対して傾斜してランプロッドなどの装着目標位置に装着される。具体的には、装着部は二つの装着板４を有し、二つの装着板４は互いに平行で、かつ上蓋２の外表面に垂直に設けられる。二つの装着板４には細長い装着孔４０１がそれぞれ設けられ、細長い装着孔４０１は具体的には長方形などであってよく、ここでは限定しない。細長い装着孔４０１は、ランプハウジング本体１がある平面に対して傾斜し、かつ細長い装着孔４０１は、ランプロッドまたは装着目標位置に近接する側に傾斜する。図９に示すように、装着部は、フープ１５を介してランプロッドに接続され、一本または複数本のフープ１５は、二つの装着板４の細長い装着孔を貫通した後にランプロッドに巻き付けられ固定を実現し、細長い装着孔４０１は傾斜状をしているので、ＬＥＤ照明装置のランプ全体が傾斜して装着されることを実現する。その他の実施例において、装着部の構造は以上の記載に限定されるわけではなく。具体的な状況に応じて選択でき、例えば、装着板４には細長い装着孔４０１の傾斜方向に一致する装着孔４０２がさらに設けられ、該装着孔４０２によりＬＥＤ照明器具を壁に固定してもよい。
【００５０】
ＬＥＤ照明装置のランプハウジングの排水を行いやすくするため、本発明は、ランプハウジング本体１に排水孔１０４がさらに設けられる。具体的には、排水孔１０４は、第２空間内の電源装着部１０１の外側のランプハウジング本体１の辺縁に近接する位置に設けられ、当然のことながら、排水孔１０４の位置も具体的な状況に応じて適切に調整でき、ここでは限定しない。本発明におけるＬＥＤ照明装置は、傾斜して装着された後、排水孔を設けることにより、ランプハウジングアセンブリ内部に浸透した水濡れが自身の重力の作用で排水孔１０４から排出され、ＬＥＤ照明装置に対する水濡れによる損壊を効果的に低減させる。
【００５１】
さらに、図１、２、３を参照されたい。ランプハウジングアセンブリは装飾蓋３をさらに有し、装飾蓋３は、ランプハウジング本体１に設けられ、かつ装飾蓋３および装着上蓋２はランプハウジング本体１の同一側に位置する。装飾蓋３はネジなどの方法によりランプハウジング本体１に装着され、かつ装着上蓋２に対向する装飾蓋３の片側は、ネジなどの方法により装着上蓋２に固定して接続されることができ、ランプハウジング本体１、装飾蓋３、および装着上蓋２はＬＥＤ照明装置のランプ全体のハウジングを構成する。ここで、装飾蓋３の設置位置は、発光アセンブリの設置位置に対応し、装飾蓋３には大きな開口が開設され、装飾蓋３全体が環状構造をなすようにする。開口位置は、組立ＰＣＢの位置に対応するとともに、開口によりランプハウジング本体１の突起１０３を空気中に直接、暴露させ、ランプハウジング本体１が放熱しやすくなる。本発明は、装飾蓋３を設けることにより、ＬＥＤ照明装置の美観効果を保証するとともに、開口を設けることによりランプ全体の放熱効果を保証する。当然のことながら、装飾蓋３の具体的な構造形態は図１、２、３に示されるものに限定されるわけではなく、具体的な状況に応じて調整できる。
【００５２】
以上を総合して、本発明により提供されるＬＥＤ照明装置は、電源アセンブリ、発光アセンブリの密封性に優れ、漏電防止効果が良好であり、ＬＥＤ照明装置のランプ全体の防護性能が高く、また、使用範囲が広く、寿命が長いなどの優れた点を有するとともに、さらに、ランプ全体の放熱効果が良好であるという優れた点を有する。
【００５３】
当業者は、本発明はそれ自体の精神または範囲を逸脱しないその他の多くの具体的な形態で実現されことができることを理解するものとする。本発明の実施例を説明したが、本発明はこれらの実施例に限定されるわけではなく、特許請求の範囲にて定義された本発明の精神および範囲内において、当業者によって変更および修正を行うことができることを理解するものとする。
【図１】
0006539777.tif 000002
【図２】
0006539777.tif 000003
【図３】
0006539777.tif 000004
【図４】
0006539777.tif 000005
【図５】
0006539777.tif 000006
【図６】
0006539777.tif 000007
【図７】
0006539777.tif 000008
【図８】
0006539777.tif 000009
【図９】
0006539777.tif 000010